(57)【要約】【課題】メモリサイズを大幅増加せずに細かな表示むらの補正を可能とし、映像信号の内容変化、経時変化に伴う表示むらの補正を容易とする。【解決手段】係数生成部１０３は、信号レベル別に、所定の画素間隔をもって存在する複数の画素位置における補正係数（製造上のバラツキ等に起因し、大きな範囲で緩やかに変化する表示むらの補正係数）を記憶する係数読み出し部131R,131G,131Bを持つ。係数生成部１０４は、所定の画素間隔をもって存在する複数の画素位置における補正係数（バックライト１７に起因し、比較的狭い範囲で周期的に変化する表示むらの補正係数）を記憶する係数読み出し部141R,141G,141Bを持つ。映像信号Rin,Gin,Binを、これらで生成される補正係数を用いて補正する。係数生成部１０５からの補正係数は、バックライト１７の輝度制御に伴って、補正係数生成部１０４からの補正係数を補正する。【選択図】図２
2007281612.tif 000002
【特許請求の範囲】
【請求項１】
入力映像信号を画像表示部に表示される画像の表示むらを補正するように処理して出力映像信号を得る映像信号処理装置であって、
上記表示むらを発生する複数の要因にそれぞれ対応した補正係数を記憶する複数の補正係数テーブルと、
上記複数の補正係数テーブルから得られる補正係数に基づいて上記入力映像信号を処理して上記出力映像信号を得る信号処理部を備える
ことを特徴とする映像信号処理装置。
【請求項２】
上記信号処理部は、
上記補正係数テーブルとして、少なくとも、
映像信号のレベル別に、第１の画素間隔をもって存在する複数の画素位置に対応した第１の補正係数を持つ第１の補正係数テーブルと、
第２の画素間隔をもって存在する複数の画素位置に対応した第２の補正係数を持つ第２の補正係数テーブルを有する
ことを特徴とする請求項１に記載の映像信号処理装置。
【請求項３】
上記第２の画素間隔は、上記第１の画素間隔より小さな間隔である
ことを特徴とする請求項２に記載の映像信号処理装置。
【請求項４】
上記第２の補正係数ケーブルに記憶される補正係数は、所定時間毎に更新される
ことを特徴とする請求項２に記載の映像信号処理装置。
【請求項５】
上記画像表示部はバックライトを備える液晶表示パネルを用いて構成されており、
上記第２の補正係数テーブルには、上記第２の補正係数として、上記バックライトに起因する表示むらを補正するための補正係数が記憶されている
ことを特徴とする請求項３に記載の映像信号処理装置。
【請求項６】
上記バックライトの輝度は、上記入力映像信号に基づき、所定の大きさに区切られた画面領域毎に制御され、
上記信号処理部は、
上記バックライトに起因する表示むらを補正するための補正係数を、上記バックライトの輝度制御に対応して補正するための第３の補正係数を持つ第３の補正係数ケーブルをさらに有する
ことを特徴とする請求項５に記載の映像信号処理装置。
【請求項７】
入力映像信号を画像表示部に表示される画像の表示むらを補正するように処理して出力映像信号を得る映像信号処理方法であって、
上記表示むらを発生する複数の要因にそれぞれ対応した補正係数を記憶する複数の補正係数テーブルからそれぞれ補正係数を読み出し、
該読み出された補正係数に基づいて上記入力映像信号を処理して上記出力映像信号を得る
ことを特徴とする映像信号処理方法。
【請求項８】
入力映像信号に基づく画像を表示する画像表示部と、
上記入力映像信号を、上記画像表示部に表示される画像に発生する表示むらを補正するように処理して出力映像信号を得、該出力映像信号を上記画像表示部に供給する信号供給部を備える画像表示装置であって、
上記信号供給部は、
上記表示むらを発生する複数の要因にそれぞれ対応した補正係数を記憶する複数の補正係数テーブルと、
上記複数の補正係数テーブルから得られる補正係数に基づいて上記入力映像信号を処理して上記出力映像信号を得る信号処理部を有する
ことを特徴とする画像表示装置。
【発明の詳細な説明】
【技術分野】
【０００１】
この発明は、画像表示部に表示される画像の表示むらを補正するように映像信号を処理する映像信号処理装置、映像信号処理方法および画像表示装置に関する。詳しくは、この発明は、表示むらを発生する複数の要因にそれぞれ対応した補正係数を記憶する複数の補正係数テーブルを用意し、これらから読み出された補正係数に基づいて映像信号を処理することによって、メモリサイズを大幅に増加することなく細かな表示むら補正を可能とすると共に、映像信号の内容変化あるいは経時変化に伴う表示むらの補正を容易に行い得るようにした映像信号処理装置等に係るものである。
【背景技術】
【０００２】
液晶表示パネルを用いた画像表示装置においては、画面内の製造上のバラツキによる入力電圧-光透過率特性のバラツキ、装置の光学系の特性、画面内の温度分布、視野角などいろいろな要因により表示画面内で輝度むら、色むら等の表示むらを生じる。また最近ではＬＥＤ(Light Emitting Diode)や、ＣＣＦＬ(Cold CathodeFluorescent Lamp)などのバックライトを使用した液晶表示パネルが増えてきており、バックライト形状が表示むらに与える影響も無視できなくなってきている。
【０００３】
製造上のバラツキを減らす、装置形状を工夫するなどして表示むらを減らす努力はされているが、表示むらを完全に取りきることは難しく、デジタル信号処理ＬＳＩ(Large Scale Integration)を使って入力映像信号に対して画面内の信号レベルのバラツキに応じた信号レベルの補正処理を行うという方法が広く行われている。
【０００４】
この補正を行うためには、画面内の画素位置毎の補正係数が必要になる。すべての画素位置について補正係数を持つことができれば完全に補正することができるが、大きなサイズのメモリが必要になり、使用するメモリサイズの削減は重要な課題になっていた。また画面内の輝度バラツキは入力信号レベルによって分布が変わることが知られており、画素位置だけでなく、入力映像信号レベルに応じた補正係数を持つとなると、さらに巨大なサイズのＲＡＭ(Random Access Memory)が必要になる。
【０００５】
このため通常は画面内の複数の座標位置といくつかの入力信号レベルについて補正係数（格子点補正係数）を持ち、補正係数を持たない画素信号については近傍の補正点から補間処理により補正係数を生成することが行われている（例えば、特許文献１参照）。
【０００６】
図９は、従来の輝度・色むら補正回路２００の構成を示している。この輝度・色むら補正回路２００は、映像信号入力端子２０１Ｒ，２０１Ｇ，２０１Ｂと、位置情報入力端子２０２Ｈ，２０２Ｖと、補正係数読み出し部（ＬＵＴ）２０３Ｒ，２０３Ｇ，２０３Ｂと、補間部２０４Ｒ，２０４Ｇ，２０４Ｂと、補正部２０５Ｒ，２０５Ｇ，２０５Ｂと、映像信号出力端子２０６Ｒ，２０６Ｇ，２０６Ｂとを有している。
【０００７】
映像信号入力端子２０１Ｒ，２０１Ｇ，２０１Ｂは、それぞれ、入力映像信号としての赤色信号Ｒin、緑色信号Ｇin、青色信号Ｂinが入力される端子である。位置情報入力端子２０２Ｈ，２０２Ｖは、それぞれ、上述した映像信号入力端子２０１Ｒ，２０１Ｇ，２０１Ｂに各画素の色信号Ｒin，Ｇin，Ｂinが入力されるタイミングで、その画素位置を示す位置情報Ｈ，Ｖが入力される端子である。
【０００８】
補正係数読み出し部２０３Ｒ，２０３Ｇ，２０３Ｂは、それぞれ、色信号Ｒin，Ｇin，Ｂinに対応した補正係数（格子点補正係数）を持つ補正係数テーブルを構成している。この補正係数は、画面内の製造上のバラツキによる入力電圧-光透過率特性のバラツキ、装置の光学系の特性、画面内の温度分布、視野角などに起因する輝度むら、色むら等の表示むら（以下、適宜、「製造上のバラツキ等に起因する表示むら」という）を補正するための補正係数である。
【０００９】
補正係数読み出し部２０３Ｒ，２０３Ｇ，２０３Ｂには、上述した色信号Ｒin，Ｇin，Ｂinがそれぞれ入力されると共に、上述した位置情報Ｈ，Ｖが共通に入力される。補正係数読み出し部２０３Ｒは、図１０に示すように、座標検出部２０３Ｒａと補正係数テーブル０３Ｒｂとを備えている。
【００１０】
補正係数テーブル２０３Ｒｂには、赤色信号Ｒinに対応した補正係数が、赤色信号Ｒinのレベル別に、所定の画素間隔をもって存在する複数の画素位置に対応して記憶されている。すなわち、この補正係数テーブル２０３Ｒｂには、水平方向位置Ｈ、垂直方向位置Ｖおよび信号レベルの各要素で構成される３次元構造における各格子点（図１１の左側の図に白丸「○」で示す）の補正係数が記憶されている。ここで、水平方向および垂直方向の画素間隔は、例えば６４画素あるいは１２８画素とされる。
【００１１】
座標検出部２０３Ｒａは、入力される赤色信号Ｒinのレベルおよび位置情報Ｈ，Ｖに基づいて、上述した３次元構造における位置を注目位置として把握し、その注目位置を囲む８個の格子点の座標を検出し、その座標を補正係数テーブル２０３Ｒｂに読み出しアドレスとして供給し、当該補正係数テーブル２０３Ｒｂから注目位置を囲む８個の格子点の補正係数が読み出されるようにする。
【００１２】
例えば、図１１の左側の図に黒丸「●」で示す位置に注目位置Ｐがある場合、同図の右側に取り出して示すように、座標検出部２０３Ｒａは当該注目位置Ｐを囲む８個の格子点ｇ1〜ｇ8の座標を検出し、補正係数テーブル２０３Ｒｂからこの８個の格子点ｇ1〜ｇ8の補正係数を読み出して出力する。
【００１３】
補正係数読み出し部２０３Ｇは、補正係数読み出し部２０３Ｒと同様に、図１０に示すように、座標検出部２０３Ｇａと補正係数テーブル２０３Ｇｂとを備えており、座標検出部２０３Ｇａでは入力される緑色信号Ｇinのレベルおよび位置情報Ｈ，Ｖに基づいて注目位置を把握し、当該注目位置を囲む８個の格子点ｇ1〜ｇ8の座標を検出し、補正係数テーブル２０３Ｇｂからこの８個の格子点ｇ1〜ｇ8の補正係数を読み出して出力する。
【００１４】
補正係数読み出し部２０３Ｂも、補正係数読み出し部２０３Ｒと同様に、図１０に示すように、座標検出部２０３Ｂａと補正係数テーブル２０３Ｂｂとを備えており、座標検出部２０３Ｂａでは入力される緑色信号Ｂinのレベルおよび位置情報Ｈ，Ｖに基づいて注目位置を把握し、当該注目位置を囲む８個の格子点の座標を検出し、補正係数テーブル２０３Ｂｂからこの８個の格子点ｇ1〜ｇ8の補正係数を読み出して出力する。
【００１５】
補間部２０４Ｒ，２０４Ｇ，２０４Ｂは、それぞれ、補正係数読み出し部２０３Ｒ，２０３Ｇ，２０３Ｂから出力される８個の格子点ｇ1〜ｇ8の補正係数を用いて、注目位置の補正係数Ｒ_coef，Ｇ_coef，Ｂ_coefを生成する。
【００１６】
これら補間部２０４Ｒ，２０４Ｇ，２０４Ｂでは、図１２に示すように、水平方向および垂直方向の格子点の間隔（画素間隔）をＳＩＺＥ、レベル方向の格子点の間隔（レベル間隔）をＬＳＩＺＥとし、さらに注目位置Ｐを囲む８個の格子点ｇ1〜ｇ8で構成される直方体における注目位置Ｐの座標を（HDIFF,VDIFF,LDIFF）として、以下の（１）式〜（９）式により、補正係数Ｒ_coef，Ｇ_coef，Ｂ_coefを算出する。
【００１７】
【数１】
2007281612.tif 000003
【００１８】
【数２】
2007281612.tif 000004
【００１９】
【数３】
2007281612.tif 000005
【００２０】
ここで、補間部２０４Ｒ，２０４Ｇ，２０４Ｂに、それぞれ、補正係数読み出し部２０３Ｒ，２０３Ｇ，２０３Ｂから座標（HDIFF,VDIFF,LDIFF）の情報が与えられる。なお、（Ｒ０００，Ｇ０００，Ｂ０００）、（Ｒ００１，Ｇ００１，Ｂ００１）、（Ｒ０１０，Ｇ０１０，Ｂ０１０）、（Ｒ０１１，Ｇ０１１，Ｂ０１１）、（Ｒ１００，Ｇ１００，Ｂ１００）、（Ｒ１０１，Ｇ１０１，Ｂ１０１）、（Ｒ１１０，Ｇ１１０，Ｂ１１０）、（Ｒ１１１，Ｇ１１１，Ｂ１１１）は、それぞれ、格子点ｇ1〜ｇ8における色信号Ｒin，Ｇin，Ｂinに対応した補正係数を示している。また、（Ｒａ，Ｇａ，Ｂａ）、（Ｒｂ，Ｇｂ，Ｂｂ）は、それぞれ、注目位置Ｐに対応した下面側位置Ｐd、上面側位置Ｐuにおける色信号Ｒin，Ｇin，Ｂinに対応した補正係数を示している。
【００２１】
補正部２０５Ｒ，２０５Ｇ，２０５Ｂは、それぞれ、映像信号入力端子２０１Ｒ，２０１Ｇ，２０１Ｂに入力された色信号Ｒin，Ｇin，Ｂinを、補間部２０４Ｒ，２０４Ｇ，２０４Ｂで得られた補正係数Ｒ_coef，Ｇ_coef，Ｂ_coefで補正して、出力映像信号としての赤色信号Ｒout、緑色信号Ｇout、青色信号Ｂoutを生成する。
【００２２】
ここで、各色信号に対応した補正係数が、それぞれ画面内の赤、緑、青の各色信号の輝度レベルのバラツキ（補正の基準となる信号レベルとの差分）であるオフセット係数であるとき、補正部２０５Ｒ，２０５Ｇ，２０５Ｂでは、それぞれ、色信号Ｒin，Ｇin，Ｂinに対して補正係数Ｒ_coef，Ｇ_coef，Ｂ_coefを加算する処理が行われる。また、各色信号に対応した補正係数が、それぞれ、画面内の基準画素位置の輝度レベルと補正対象画素位置の輝度レベルの比であるゲイン係数であるとき、補正部２０５Ｒ，２０５Ｇ，２０５Ｂでは、それぞれ、色信号Ｒin，Ｇin，Ｂinに対して補正係数Ｒ_coef，Ｇ_coef，Ｂ_coefを乗算する処理が行われる。
【００２３】
なお、補正係数読み出し部２０３Ｒ，２０３Ｇ，２０３Ｂに、補正係数としてオフセット係数およびゲイン係数の双方を持つときは、補正係数Ｒ_coef，Ｇ_coef，Ｂ_coefとして、オフセット係数およびゲイン係数に対応したものが互いに独立して生成され、補正部２０５Ｒ，２０５Ｇ，２０５Ｂでは、加算処理および乗算処理が行われる。
【００２４】
図９に示す輝度・色むら補正回路２００の動作を説明する。映像信号入力端子２０１Ｒ，２０１Ｇ，２０１Ｂに、それぞれ、入力映像信号としての赤色信号Ｒin、緑色信号Ｇin、青色信号Ｂinが入力される。また、位置情報入力端子２０２Ｈ，２０２Ｖに、それぞれ、上述した映像信号入力端子２０１Ｒ，２０１Ｇ，２０１Ｂに各画素の色信号Ｒin，Ｇin，Ｂinが入力されるタイミングで、その画素位置を示す位置情報Ｈ，Ｖが入力される。
【００２５】
補正係数読み出し部２０３Ｒには赤色信号Ｒinが入力されると共に位置情報Ｈ，Ｖが入力され、この補正係数読み出し部２０３Ｒからは、赤色信号Ｒinのレベルおよび位置情報Ｈ，Ｖに基づき、赤色信号Ｒinの信号レベルおよびその画素位置で決まる３次元構造内の注目位置を囲む８個の格子点の補正係数が出力される。
【００２６】
また、補正係数読み出し部２０３Ｇには緑色信号Ｇinが入力されると共に位置情報Ｈ，Ｖが入力され、この補正係数読み出し部２０３Ｇからは、緑色信号Ｇinのレベルおよび位置情報Ｈ，Ｖに基づき、緑色信号Ｇinの信号レベルおよびその画素位置で決まる３次元構造内の注目位置を囲む８個の格子点の補正係数が出力される。
【００２７】
さらに、補正係数読み出し部２０３Ｂには青色信号Ｂinが入力されると共に位置情報Ｈ，Ｖが入力され、この補正係数読み出し部２０３Ｂからは、青色信号Ｂinのレベルおよび位置情報Ｈ，Ｖに基づき、青色信号Ｂinの信号レベルおよびその画素位置で決まる３次元構造内の注目位置を囲む８個の格子点の補正係数が出力される。これら補正係数読み出し部２０３Ｒ，２０３Ｇ，２０３Ｂから出力される補正係数は、それぞれ、補間部２０４Ｒ，２０４Ｇ，２０４Ｂに供給される。
【００２８】
補間部２０４Ｒ，２０４Ｇ，２０４Ｂでは、それぞれ、補正係数読み出し部２０３Ｒ，２０３Ｇ，２０３Ｂから出力される８個の格子点の補正係数、さらには補正係数読み出し部２０３Ｒ，２０３Ｇ，２０３Ｂから与えられる注目位置の座標（HDIFF,VDIFF,LDIFF）の情報を用いて、注目位置の補正係数Ｒ_coef，Ｇ_coef，Ｂ_coefが算出される。これら補正係数Ｒ_coef，Ｇ_coef，Ｂ_coefは、それぞれ、補正部２０５Ｒ，２０５Ｇ，２０５Ｂに供給される。
【００２９】
この補正部２０５Ｒ，２０５Ｇ，２０５Ｂには、それぞれ、赤色信号Ｒin、緑色信号Ｇin、青色信号Ｂinが供給される。これら補正部２０５Ｒ，２０５Ｇ，２０５Ｂでは、それぞれ、色信号Ｒin，Ｇin，Ｂinを補正係数Ｒ_coef，Ｇ_coef，Ｂ_coefで補正する処理、つまり加算処理、あるいは乗算処理が施されて、出力映像信号としての赤色信号Ｒout、緑色信号Ｇout、青色信号Ｂoutが生成される。そして、これら色信号Ｒout，Ｇout，Ｂoutは、それぞれ映像信号出力端子２０６Ｒ，２０６Ｇ，２０６Ｂに出力される。
【特許文献１】特開平１１−１０９９２７号公報
【発明の開示】
【発明が解決しようとする課題】
【００３０】
上述したように、図９に示す輝度・色むら補正回路２００には、各色信号に対応して１個の補正係数読み出し部が用意されており、その各補正係数読み出し部には、色信号のレベル別に、所定の画素間隔をもって存在する複数の画素位置の補正係数が記憶されている。
【００３１】
上述した液晶表示パネルを用いた画像表示装置において表示むらの要因となる製造上のバラツキは画面内では比較的緩やかに変化する。そのため、補正係数読み出し部に用意する補正係数の水平方向および垂直方向の画素間隔は、６４画素あるいは１２８画素でもある程度精度のよい補正が可能である。
しかし、ＬＥＤやＣＣＦＬ等のバックライトに起因する表示むらは、バックライトの形状、構成に大きく依存し、細かいパターンとして現れることが多い。そのため、バックライトを備える液晶表示パネルを使った画像表示装置で、輝度むら、色むら等の表示むらを補正しようとした場合は、バックライトの形状、構成に合わせて、補正係数読み出し部に用意する補正係数の水平方向および垂直方向の画素間隔を小さくする必要があった。
【００３２】
この場合、水平方向および垂直方向の画素間隔を小さくすることによる補正係数の個数増加が各信号レベルに及ぶことになるため、補正係数読み出し部を構成する補正係数テーブルのメモリサイズが大幅に増加し、コストに大きく影響を与える。そのため、上述したように各色信号に対応して、色信号のレベル別に複数の画素位置の補正係数を記憶した１個の補正係数読み出し部を用意するものにあっては細かいパターンの表示むらを補正することには限界があった。
【００３３】
また、近年、画面のコントラストを上げるために、所定数に分割された画面領域毎に、バックライトの輝度を制御することが行われている。例えば、暗い領域ではバックライトを暗くしてより暗く、明るい領域では輝度を上げてより明るくする等の処理が行われている。上述したバックライトに起因する表示むらは、バックライトの輝度によって変化するので、映像信号の内容に伴って補正係数をリアルタイムに書き換える必要がある。その場合、上述したように各色信号に対応して、色信号のレベル別に複数の画素位置の補正係数を記憶した１個の補正係数読み出し部を用意するものにあっては、非常に多くの補正係数を書き換えることが必要となり、表示むらのリアルタイムの補正が困難であった。
【００３４】
なお、表示画面内の部分的な温度変化などによって画面内の表示むらの分布が経時的に変化する。これに対処するためにも、所定時間毎に、補正係数を更新する必要がある。その場合にも、上述したように各色信号に対応して、色信号のレベル別に複数の画素位置の補正係数を記憶した１個の補正係数読み出し部を用意するものにあっては、非常に多くの補正係数を書き換えることが必要となる。
【００３５】
この発明の目的は、メモリサイズを大幅に増加することなく細かな表示むらの補正を可能とし、また映像信号の内容変化あるいは経時変化に伴う表示むらの補正を容易とすることにある。
【課題を解決するための手段】
【００３６】
この発明の概念は、
入力映像信号を画像表示部に表示される画像の表示むらを補正するように処理して出力映像信号を得る映像信号処理装置であって、
上記表示むらを発生する複数の要因にそれぞれ対応した補正係数を記憶する複数の補正係数テーブルと、
上記複数の補正係数テーブルから得られる補正係数に基づいて上記入力映像信号を処理して上記出力映像信号を得る信号処理部を備える
ことを特徴とする映像信号処理装置にある。
【００３７】
この発明においては、表示むらを発生する複数の要因にそれぞれ対応した補正係数を記憶する複数の補正係数テーブルを備えるようにされる。例えば、補正係数テーブルとして、少なくとも、映像信号のレベル別に、第１の画素間隔をもって存在する複数の画素位置に対応した第１の補正係数を持つ第１の補正係数テーブルと、第２の画素間隔をもって存在する複数の画素位置に対応した第２の補正係数を持つ第２の補正係数テーブルを有するものとされる。
【００３８】
この複数の補正係数テーブルから得られる補正係数に基づいて、入力映像信号が表示むらを補正するように処理され、出力映像信号が得られる。この場合、複数の補正係数テーブルから得られる補正係数が混合されて使用される。
【００３９】
このように複数の補正係数テーブルが用意され、各補正係数テーブルから得られる補正係数に基づいて映像信号を処理するものであり、メモリサイズを大幅に増加することなく細かな表示むら補正が可能となる。
【００４０】
例えば、第１の補正係数テーブルには、画面内の製造上のバラツキによる表示むらであって、同じ信号レベルの画面内では比較的緩やかに変化する表示むらを補正するための補正係数が記憶される。また例えば、第２の補正係数テーブルには、細かいパターンとして現れるバックライトに起因する表示むらを補正するための補正係数が記憶される。
【００４１】
この場合、第２の画素間隔は第１の画素間隔より小さな間隔となるが、第２の補正係数テーブルは信号のレベル別に補正係数を記憶しているものではなく、補正係数テーブル全体のメモリサイズの大幅な増加はない。
【００４２】
また、複数の補正係数テーブルが用意され、各補正係数テーブルから得られる補正係数に基づいて映像信号を処理するものであり、映像信号の内容変化あるいは経時変化に伴う表示むらの補正を容易に行い得るようになる。
例えば、第１の補正係数テーブルには、画面内の製造上のバラツキによる表示むらであって、同じ信号レベルの画面内では比較的緩やかに変化する表示むらを補正するための補正係数が記憶される。また例えば、第２の補正係数テーブルには、表示画面内の部分的な温度変化などによって経時的に画面内の輝度バラツキの分布が変化する表示むらを補正するための補正係数が記憶される。
【００４３】
この場合、第２の補正係数テーブルの補正係数を所定時間毎に更新する必要があるが、第２の補正係数テーブルは信号のレベル別に補正係数を記憶しているものではなく、書き換える補正係数の個数は少なく、補正係数の更新が容易となる。
【００４４】
なお、入力映像信号に基づき、所定の大きさに区切られた画面領域毎にバックライトの輝度が制御されるものにあっては、上述したバックライトに起因する表示むらを補正するための補正係数をバックライトの輝度制御に対応して補正するための第３の補正係数を記憶する第３の補正係数テーブルをさらに有するようにしてもよい。
【００４５】
これにより、バックライトに起因する表示むらがバックライトの輝度制御によって変化しても、当該第３の補正係数をさらに用いることで、バックライトに起因する表示むらを良好に補正できる。またこの場合、当該第３の補正係数を映像信号の内容に伴ってリアルタイムに書き換える必要があるが、第３の補正係数テーブルは信号のレベル別に記憶しているものではなく、書き換える補正係数の個数は少なく、補正係数をリアルタイムに書き換えることを容易に行える。
【発明の効果】
【００４６】
この発明によれば、表示むらを発生する複数の要因にそれぞれ対応した補正係数を記憶する複数の補正係数テーブルを用意し、これらから読み出された補正係数に基づいて映像信号を処理するものであり、メモリサイズを大幅に増加することなく細かな表示むらの補正を可能とすると共に、映像信号の内容変化あるいは経時変化に伴う表示むらの補正を容易に行うことができる。
【発明を実施するための最良の形態】
【００４７】
以下、図面を参照しながら、この発明の実施の形態について説明する。図１は、実施の形態としての画像表示装置１０の構成を示している。この画像表示装置１０は、入力端子１１Ｒ，１１Ｇ，１１Ｂと、Ａ／Ｄ変換器１２Ｒ，１２Ｇ，１２Ｂと、デジタル信号処理部１３と、Ｄ／Ａ変換器１４Ｒ，１４Ｇ，１４Ｂと、駆動部１５Ｒ，１５Ｇ，１５Ｂと、カラー液晶表示パネル１６と、バックライト１７と、コントローラ１８とを有している。
【００４８】
入力端子１１Ｒ，１１Ｇ，１１Ｂは、それぞれ、映像信号としての赤色信号Ｒ、緑色信号Ｇ、青色信号Ｂが入力される端子である。これら色信号Ｒ，Ｇ，Ｂは、例えばビデオカメラ、テレビチューナ、ＤＶＤ(Digital Versatile Disc)プレーヤ等の再生機などから得られる。
【００４９】
Ａ／Ｄ変換器１２Ｒ，１２Ｇ，１２Ｂは、それぞれ、入力端子１１Ｒ，１１Ｇ，１１Ｂに入力された色信号Ｒ，Ｇ，Ｂをアナログ信号からデジタル信号に変換する。デジタル信号処理部１３は、デジタル信号に変換された各色信号に対して、表示画像の輝度むら、色むら等の表示むらの補正処理を行う。
【００５０】
本実施の形態においては、後述するように、表示むら補正回路は、カラー液晶表示パネル１６の画面内の製造上のバラツキによる、入力電圧-光透過率特性のバラツキ、装置の光学系の特性、画面内の温度分布、視野角などに起因する輝度むら、色むら等の表示むらを補正するための補正係数を記憶する補正係数テーブルを備え、カラー液晶表示パネル１６の製造上のバラツキ等に起因する表示むらの補正を可能としている。表示むら補正回路については、後述する。
【００５１】
なお、このデジタル信号処理部１３は、表示むらの補正処理の他に、ホワイトバランスの補正、明るさ、コントラストの調整などの表示画像の調整、ノイズの除去などの処理も行う。
【００５２】
Ｄ／Ａ変換器１４Ｒ，１４Ｇ，１４Ｂは、デジタル信号処理部１３で種々の処理がされて得られるデジタル信号としての色信号Ｒ，Ｇ，Ｂを、それぞれアナログ信号に変換する。カラー液晶表示パネル１６は、従来周知のように、赤、緑、青の各色の画像を得るためのパネル部１６Ｒ，１６Ｇ，１６Ｂからなっている。駆動部１５Ｒ，１５Ｇ，１５Ｂは、それぞれ、アナログ信号に変換された色信号Ｒ，Ｇ，Ｂに基づいて、カラー液晶表示パネル１６のパネル部１６Ｒ，１６Ｇ，１６Ｂをドライブし、当該パネル部１６Ｒ，１６Ｇ，１６Ｂで赤、緑、青の画像が得られるようにする。
【００５３】
バックライト１７は、このカラー液晶表示パネル１６の裏面に配置された光源であり、本実施の形態ではＬＥＤあるいはＣＣＦＬ等で構成されている。バックライト１７をＬＥＤあるいはＣＣＦＬで構成する場合、そのバックライト形状が表示むらに与える影響を無視できないことから、本実施の形態では、後述するように、表示むら補正回路は、バックライトに起因する表示むらを補正するための補正係数を記憶する補正係数テーブルを備え、バックライトに起因する表示むらの補正を可能としている。
【００５４】
コントローラ１８は、映像信号の内容、つまり色信号Ｒ，Ｇ，Ｂに基づいて、バックライト１７の輝度を制御する。すなわち、コントローラ１８は、画面のコントラストを上げるために、所定数に分割された画面領域毎に、暗い領域ではバックライトを暗くしてより暗く、明るい領域では輝度を上げてより明るくするように、バックライト１７の輝度制御を行う。
【００５５】
なお、上述したバックライト１７に起因する表示むらは、バックライト１７の輝度によって変化するので、当該表示むらを補正するための補正係数を変化させる必要がある。本実施の形態では、後述するように、表示むら補正回路は、バックライトに起因する表示むらを補正するための補正係数を、バックライト１７の輝度制御に対応して補正するための補正係数（以下、「補正量調整係数」という）を記憶する補正係数テーブルを備え、バックライトの輝度制御が行われていてもバックライト１７に起因する表示むらの補正が良好に行われるようにされている。
【００５６】
この補正量調整係数は、バックライト１７の輝度制御に対応してリアルタイムに書き換える必要がある。コントローラ１８は、上述したようにバックライト１７の輝度制御を行う他、さらに、映像信号の内容、つまり色信号Ｒ，Ｇ，Ｂに基づいて、補正量調整係数の書き換え処理も行う。
【００５７】
図１に示す画像表示装置１０の動作を説明する。入力端子１１Ｒ，１１Ｇ，１１Ｂに、それぞれ、映像信号としての赤色信号Ｒ、緑色信号Ｇ、青色信号Ｂが入力される。これらの色信号Ｒ，Ｇ，Ｂは、それぞれ、Ａ／Ｄ変換器１２Ｒ，１２Ｇ，１２Ｂでアナログ信号からデジタル信号に変換された後に、デジタル信号処理部１３に供給される。
【００５８】
このデジタル信号処理部１３では、各色信号Ｒ，Ｇ，Ｂに対して、表示画像の輝度むら、色むら等の表示むらを補正する補正処理が行われると共に、ホワイトバランスの補正、明るさ、コントラストの調整などの表示画像の調整、ノイズの除去などの処理も行われる。このデジタル処理部１３で種々の処理が施された色信号Ｒ，Ｇ，Ｂは、それぞれ、Ｄ／Ａ変換器１４Ｒ，１４Ｇ，１４Ｂでデジタル信号からアナログ信号に変換された後に、駆動部１５Ｒ，１５Ｇ，１５Ｂに供給される。
【００５９】
カラー液晶表示パネル１６のパネル部１６Ｒ，１６Ｇ，１６Ｂは、それぞれ、色信号Ｒ，Ｇ，Ｂに基づいて、駆動部１５Ｒ，１５Ｇ，１５Ｂによってドライブされる。これにより、パネル部１６Ｒ，１６Ｇ，１６Ｂにそれぞれ色信号Ｒ，Ｇ，Ｂによる赤、緑、青の画像が得られ、従ってカラー液晶表示パネル１６には、色信号Ｒ，Ｇ，Ｂによる、カラー画像が表示される。この場合、コントローラ１８により、映像信号の内容に応じて、バックライト１７の輝度が所定数に分割された画面領域毎に制御されるので、画面のコントラストを上げることができる。
【００６０】
また、上述したようにデジタル信号処理部１３では、カラー液晶表示パネル１６の画面内の製造上のバラツキ等に起因する表示むらおよびバックライト１７に起因する表示むらを補正するため信号処理が行われているので、カラー液晶表示パネル１６に表示される画像は、これらの表示むらが除去されたものとなる。
【００６１】
なおその際、コントローラ１８により、バックライト１７の輝度制御に対応して補正量調整係数がリアルタイムに書き換えられるため、バックライト１７に起因する表示むらの補正がバックライトの輝度制御に影響されることなく、良好に行われる。
【００６２】
次に、デジタル信号処理部１３に含まれる輝度・色むら補正回路（表示むら補正回路）１００について説明する。図２は、輝度・色むら補正回路１００の構成を示している。
【００６３】
この輝度・色むら補正回路１００は、映像信号入力端子１０１Ｒ，１０１Ｇ，１０１Ｂと、位置情報入力端子１０２Ｈ，１０２Ｖと、補正係数生成部１０３，１０４と、補正量調整係数生成部１０５と、ゲイン乗算部１０６Ｒ，１０６Ｇ，１０６Ｂと、ゲイン補正部１０７Ｒ，１０７Ｇ，１０７Ｂと、オフセット補正部１０８Ｒ，１０８Ｇ，１０８Ｂと、映像信号出力端子１０９Ｒ，１０９Ｇ，１０９Ｂとを有している。
【００６４】
映像信号入力端子１０１Ｒ，１０１Ｇ，１０１Ｂは、それぞれ、入力映像信号としての赤色信号Ｒin、緑色信号Ｇin、青色信号Ｂinが入力される端子である。位置情報入力端子１０２Ｈ，１０２Ｖは、それぞれ、上述した映像信号入力端子１０１Ｒ，１０１Ｇ，１０１Ｂに各画素の色信号Ｒin，Ｇin，Ｂinが入力されるタイミングで、その画素位置を示す位置情報Ｈ，Ｖが入力される端子である。
【００６５】
補正係数生成部１０３は、色信号Ｒin，Ｇin，Ｂinのレベルおよび位置情報Ｈ，Ｖに対応した、画面内の製造上のバラツキ等に起因する表示むらを補正するための補正係数Ｒ_gain，Ｇ_gain，Ｂ_gainを生成する。
【００６６】
この補正係数生成部１０３は、補正係数テーブルを構成する補正係数読み出し部１３１Ｒ，１３１Ｇ，１３１Ｂおよび補間部１３２Ｒ，１３２Ｇ，１３２Ｂからなっており、上述の図９に示す従来の輝度・色むら補正回路２００における補正係数読み出し部２０３Ｒ，２０３Ｇ，２０３Ｂおよび補間部２０４Ｒ，２０４Ｇ，２０４Ｂの部分と同様の構成とされている。
【００６７】
補正係数読み出し部１３１Ｒ，１３１Ｇ，１３１Ｂは、それぞれ、色信号Ｒin，Ｇin，Ｂinに対応した補正係数（格子点補正係数）を持つ補正係数テーブルを構成している。この補正係数は、製造上のバラツキによる入力電圧-光透過率特性のバラツキ、装置の光学系の特性、画面内の温度分布、視野角などに起因する輝度むら、色むら等の表示むら（製造上のバラツキ等に起因する表示むら）を補正するための補正係数である。
【００６８】
補正係数読み出し部１３１Ｒ，１３１Ｇ，１３１Ｂには、上述した色信号Ｒin，Ｇin，Ｂinがそれぞれ入力されると共に、上述した位置情報Ｈ，Ｖが共通に入力される。補正係数読み出し部１３１Ｒは、補正係数読み出し部２０３Ｒと同様に、座標検出部と補正係数テーブルとを備えている（図１０参照）。
【００６９】
補正係数テーブルには、図３に示すように、赤色信号Ｒinのレベル別に、所定の画素間隔をもって存在する複数の画素位置における当該赤色信号Ｒinに対応した補正係数が記憶されている。すなわち、この補正係数テーブルには、水平方向位置Ｈ、垂直方向位置Ｖおよび信号レベルの各要素で構成される３次元構造における各格子点（図３に黒丸「●」で示す）の補正係数が記憶されている。ここで、水平方向および垂直方向の画素間隔は、例えば６４画素あるいは１２８画素とされる。
【００７０】
座標検出部は、入力される赤色信号Ｒinのレベルおよび位置情報Ｈ，Ｖに基づいて、上述した３次元構造における位置を注目位置（図１１の位置Ｐ参照）として把握し、その注目位置を囲む８個の格子点の座標を検出し、その座標を補正係数テーブルに読み出しアドレスとして供給し、当該補正係数テーブルから注目位置を囲む８個の格子点の補正係数が読み出されるようにする（図1１の格子点ｇ1〜ｇ8参照）。
【００７１】
補正係数読み出し部１３１Ｇは、補正係数読み出し部１３１Ｒと同様に、座標検出部と補正係数テーブルとを備えている。補正係数テーブルには、緑色信号Ｇinのレベル別に、所定の画素間隔をもって存在する複数の画素位置における当該緑色信号Ｇinに対応した補正係数が記憶されている（図３参照）。座標検出部では入力される緑色信号Ｇinのレベルおよび位置情報Ｈ，Ｖに基づいて注目位置を把握し（図１１の位置Ｐ参照）、当該注目位置を囲む８個の格子点ｇ1〜ｇ8の座標を検出し、補正係数テーブルからこの８個の格子点ｇ1〜ｇ8の補正係数を読み出して出力する（図１１の格子点ｇ1〜ｇ8参照）。
【００７２】
補正係数読み出し部１３１Ｂも、補正係数読み出し部１３１Ｒと同様に、座標検出部と補正係数テーブルとを備えている。補正係数テーブルには、青色信号Ｂinのレベル別に、所定の画素間隔をもって存在する複数の画素位置における当該青色信号Ｂinに対応した補正係数が記憶されている（図３参照）。座標検出部では入力される緑色信号Ｂinのレベルおよび位置情報Ｈ，Ｖに基づいて注目位置を把握し図１１の位置Ｐ参照）、当該注目位置を囲む８個の格子点の座標を検出し、補正係数テーブルからこの８個の格子点ｇ1〜ｇ8の補正係数を読み出して出力する（図１１の格子点ｇ1〜ｇ8参照）。
【００７３】
補間部１３２Ｒ，１３２Ｇ，１３２Ｂは、それぞれ、補正係数読み出し部１３１Ｒ，１３１Ｇ，１３１Ｂから出力される８個の格子点ｇ1〜ｇ8の補正係数を用いて、注目位置の補正係数Ｒ_gain，Ｇ_gain，Ｂ_gainを生成する。これら補間部１３２Ｒ，１３２Ｇ，１３２Ｂでは、上述した補間部２０４Ｒ，２０４Ｇ，２０４Ｂと同様に、図１２に示すように、水平方向および垂直方向の格子点の間隔（画素間隔）をＳＩＺＥ、レベル方向の格子点の間隔（レベル間隔）をＬＳＩＺＥとし、さらに注目位置Ｐを囲む８個の格子点ｇ1〜ｇ8で構成される直方体における注目位置Ｐの座標を（HDIFF,VDIFF,LDIFF）として、上述の（１）式〜（９）式により、補正係数Ｒ_gain，Ｇ_gain，Ｂ_gainを算出する。
【００７４】
補正係数生成部１０４は、位置情報Ｈ，Ｖに対応した、バックライトに起因する表示むらを補正するための補正係数Ｒ_offset，Ｇ_offset，Ｂ_offsetを生成する。この補正係数生成部１０４は、補正係数テーブルを構成する補正係数読み出し部１４１Ｒ，１４１Ｇ，１４１Ｂおよび補間部１４２Ｒ，１４２Ｇ，１４２Ｂからなっている。
【００７５】
補正係数読み出し部１４１Ｒ，１４１Ｇ，１４１Ｂは、それぞれ、色信号Ｒin，Ｇin，Ｂinに対応した補正係数（格子点補正係数）を持つ補正係数テーブルを構成している。この補正係数は、バックライト１７に起因する表示むらを補正するための補正係数である。補正係数読み出し部１４１Ｒ，１４１Ｇ，１４１Ｂには、上述した位置情報Ｈ，Ｖが共通に入力される。
【００７６】
補正係数読み出し部１４１Ｒは、上述した補正係数生成部１０３の補正係数読み出し部１３１Ｒと同様に、座標検出部と補正係数テーブルとを備えている。
【００７７】
補正係数テーブルには、図４に示すように、所定の画素間隔をもって存在する複数の画素位置における、赤色信号Ｒinに対応した補正係数が記憶されている。すなわち、この補正係数テーブルには、水平方向位置Ｈ、垂直方向位置Ｖで構成される２次元構造における各格子点（図４に黒丸「●」で示す）の補正係数が記憶されている。
【００７８】
ここで、水平方向および垂直方向の画素間隔は、上述した補正係数読み出し部１３１Ｒの補正係数テーブルにおける画素間隔より小さくされている。バックライト１７に起因する表示むらは、バックライト１７の構成、画面サイズ、画素数によっても異なるが、細かい模様となって現れることが多く、上述した製造上のバラツキ等に起因する補正係数よりも細かく補正係数を持たないと補正し切れずに表示むらが残ってしまうからである。
【００７９】
図５は、信号レベルを変化させたときの、各信号レベルにおける水平方向位置の輝度バラツキを示している。この輝度バラツキが表示むらとなる。この輝度バラツキは、図６に示すように、製造上のバラツキ等に起因する輝度バラツキと、バックライト１７に起因する輝度バラツキに分離できる。製造上のバラツキ等に起因する輝度バラツキは大きな範囲で緩やかに変化しており、これに対してバックライト１７に起因する輝度バラツキは比較的狭い範囲で周期的に変化している。
【００８０】
座標検出部は、入力される位置情報Ｈ，Ｖに基づいて、上述した２次元構造における位置を注目位置として把握し、その注目位置を囲む４個の格子点の座標を検出し、その座標を補正係数テーブルに読み出しアドレスとして供給し、当該補正係数テーブルから注目位置を囲む４個の格子点の補正係数が読み出されるようにする。
【００８１】
例えば、図４に白丸「○」で示す位置に注目位置Ｑがある場合、座標検出部は当該注目位置Ｑを囲む４個の格子点ｋ1〜ｋ4の座標を検出し、補正係数テーブルからこの４個の格子点ｋ1〜ｋ4の補正係数を読み出して出力する。
【００８２】
補正係数読み出し部１４１Ｇは、補正係数読み出し部１４１Ｒと同様に、座標検出部と補正係数テーブルとを備えている。補正係数テーブルには、所定の画素間隔をもって存在する複数の画素位置における、緑色信号Ｇinに対応した補正係数が記憶されている（図４参照）。座標検出部では入力される位置情報Ｈ，Ｖに基づいて注目位置を把握し（図４の位置Ｑ参照）、当該注目位置を囲む４個の格子点ｋ1〜ｋ4の座標を検出し、補正係数テーブルからこの４個の格子点ｋ1〜ｋ4の補正係数を読み出して出力する（図４の格子点ｋ1〜ｋ４参照）。
【００８３】
補正係数読み出し部１４１Ｂも、補正係数読み出し部１４１Ｒと同様に、座標検出部と補正係数テーブルとを備えている。補正係数テーブルには、所定の画素間隔をもって存在する複数の画素位置における、青色信号Ｂinに対応した補正係数が記憶されている（図４参照）。座標検出部では入力される位置情報Ｈ，Ｖに基づいて注目位置を把握し（図４の位置Ｑ参照）、当該注目位置を囲む４個の格子点ｋ1〜ｋ4の座標を検出し、補正係数テーブルからこの４個の格子点ｋ1〜ｋ4の補正係数を読み出して出力する（図４の格子点ｋ1〜ｋ４参照）。
【００８４】
補間部１４２Ｒ，１４２Ｇ，１４２Ｂは、それぞれ、補正係数読み出し部１４１Ｒ，１４１Ｇ，１４１Ｂから出力される４個の格子点ｋ1〜ｋ4の補正係数を用いて、注目位置の補正係数Ｒ_offset，Ｇ_offset，Ｂ_offsetを生成する。これら補間部１４２Ｒ，１４２Ｇ，１４２Ｂは、水平方向および垂直方向の格子点の間隔（画素間隔）をＳＩＺＥとし、また格子点ｋ1〜ｋ4で構成される四角形における注目位置Ｑの座標を（HDIFF,VDIFF）として、例えば上述の（１）式〜（３）式を用いて、補正量調整係数Ｒ_offset（Ｒａ），Ｇ_offset（Ｇａ），Ｂ_offset（Ｂａ）を算出する。
【００８５】
なお、バックライト１７が赤、緑、青のＬＥＤを使用したバックライトであるときは、赤、緑、青のそれぞれで輝度バラツキが異なることから、上述した補正係数生成部１０４のように、赤、緑、青の色信号のそれぞれに対応した補正係数読み出し部が必要となる。また、バックライト１７がＣＣＦＬを使用したバックライトであるときは、蛍光管の長手方向では補正係数の個数を少なく、長手方向に直交する方向では補正係数の個数を多くしたり、あるいは赤、緑、青の色信号のそれぞれに対応した補正係数読み出し部を設けずに、１種類の補正係数読み出し部のみを用いた構成とすることも可能である。
【００８６】
補正量調整係数生成部１０５は、位置情報Ｈ，Ｖに対応した、バックライトに起因する表示むらを補正するための補正係数Ｒ_offset，Ｇ_offset，Ｂ_offsetを、バックライト１７の輝度制御に対応して補正するための補正係数（補正量調整係数）Ｒ_ajst，Ｇ_ajstt，Ｂ_ajstを生成する。この補正量調整係数生成部１０５は、補正係数テーブルを構成する補正量調整係数読み出し部１５１Ｒ，１５１Ｇ，１５１Ｂおよび補間部１５２Ｒ，１５２Ｇ，１５２Ｂからなっている。
【００８７】
補正量調整係数読み出し部１５１Ｒ，１５１Ｇ，１５１Ｂは、それぞれ、色信号Ｒin，Ｇin，Ｂinに対応した補正量調整係数（格子点補正係数）を持つ補正係数テーブルを構成している。補正量調整係数読み出し部１５１Ｒ，１５１Ｇ，１５１Ｂには、上述した位置情報Ｈ，Ｖが共通に入力される。
【００８８】
補正量調整係数読み出し部１５１Ｒは、上述した補正係数生成部１０３の補正係数読み出し部１３１Ｒと同様に、座標検出部と補正係数テーブルとを備えている。
【００８９】
補正係数テーブルには、図７に示すように、所定の画素間隔をもって存在する複数の画素位置における、赤色信号Ｒinに対応した補正量調整係数が記憶されている。すなわち、この補正係数テーブルには、水平方向位置Ｈ、垂直方向位置Ｖで構成される２次元構造における各格子点（図７に黒丸「●」で示す）の補正量調整係数が記憶されている。
【００９０】
ここで、水平方向および垂直方向の画素間隔は、上述した補正係数読み出し部１４１Ｒの補正係数テーブルにおける画素間隔より大きくされる。上述したようにバックライト１７の輝度制御は、ＬＥＤまたはＣＣＦＬの一つずつを制御するのではなく、ある程度の領域に分割して、それぞれの領域毎に制御を行う。たとえば全画面内を２４分割などして、それぞれの領域の映像信号の輝度をみながら調整を行っている。そのため、バックライト１７の輝度制御に対応した補正量調整係数の個数は、表示画サイズ、制御方法においても異なるが、上述したバックライトに起因する表示むらを補正するための補正係数の個数の１／４程度あるいはそれ以上減らしてもよい。
【００９１】
座標検出部は、入力される位置情報Ｈ，Ｖに基づいて、上述した２次元構造における位置を注目位置として把握し、その注目位置を囲む４個の格子点の座標を検出し、その座標を補正係数テーブルに読み出しアドレスとして供給し、当該補正係数テーブルから注目位置を囲む４個の格子点の補正量調整係数が読み出されるようにする。
【００９２】
例えば、図７に白丸「○」で示す位置に注目位置Ｔがある場合、座標検出部は当該注目位置Ｔを囲む４個の格子点ｕ1〜ｕ4の座標を検出し、補正係数テーブルからこの４個の格子点ｕ1〜ｕ4の補正係数を読み出して出力する。
【００９３】
補正量調整係数読み出し部１５１Ｇは、補正量調整係数読み出し部１５１Ｒと同様に、座標検出部と補正係数テーブルとを備えている。補正係数テーブルには、所定の画素間隔をもって存在する複数の画素位置における、緑色信号Ｇinに対応した補正量調整係数が記憶されている（図７参照）。座標検出部では入力される位置情報Ｈ，Ｖに基づいて注目位置を把握し（図７の位置Ｔ参照）、当該注目位置を囲む４個の格子点ｕ1〜ｕ4の座標を検出し、補正係数テーブルからこの４個の格子点ｕ1〜ｕ4の補正係数を読み出して出力する（図７の格子点ｕ1〜ｕ４参照）。
【００９４】
補正量調整係数読み出し部１５１Ｂも、補正量調整係数読み出し部１５１Ｒと同様に、座標検出部と補正係数テーブルとを備えている。補正係数テーブルには、所定の画素間隔をもって存在する複数の画素位置における、青色信号Ｂinに対応した補正量調整係数が記憶されている（図７参照）。座標検出部では入力される位置情報Ｈ，Ｖに基づいて注目位置を把握し（図７の位置Ｑ参照）、当該注目位置を囲む４個の格子点ｕ1〜ｕ4の座標を検出し、補正係数テーブルからこの４個の格子点ｕ1〜ｕ4の補正係数を読み出して出力する（図７の格子点ｕ1〜ｕ４参照）。
【００９５】
補間部１５２Ｒ，１５２Ｇ，１５２Ｂは、それぞれ、補正量調整係数読み出し部１５１Ｒ，１５１Ｇ，１５１Ｂから出力される４個の格子点ｕ1〜ｕ4の補正量調整係数を用いて、注目位置の補正量調整係数Ｒ_ajst，Ｇ_ajst，Ｂ_ajstを生成する。これら補間部１５２Ｒ，１５２Ｇ，１５２Ｂは、水平方向および垂直方向の格子点の間隔（画素間隔）をＳＩＺＥとし、また格子点ｕ1〜ｕ4で構成される四角形における注目位置Ｔの座標を（HDIFF,VDIFF）として、例えば上述の（１）式〜（３）式を用いて、補正量調整係数Ｒ_ajst（Ｒａ），Ｇ_ajst（Ｇａ），Ｂ_ajst（Ｂａ）を算出する。
【００９６】
補正量調整係数読み出し部１５１Ｒ，１５１Ｇ，１５１Ｂに記憶される補正量調整係数は、コントローラ１８により、バックライト１７の輝度制御に対応して、リアルタイムに書き換えられる。この場合、補正量調整係数の個数が少なく、書き換えを容易に行うことができる。
【００９７】
なお、上述した補正量調整係数生成部１０５は、赤、緑、青の色信号のそれぞれに対応した補正量調整係数読み出し部１５１Ｒ，１５１Ｇ，１５１Ｂを設けたものであるが、１種類の補正量調整係数読み出し部のみを用いた構成とすることも可能である。
【００９８】
ゲイン乗算部１０６Ｒ，１０６Ｇ，１０６Ｂは、それぞれ、補正係数生成部１０４で生成されたオフセット補正係数Ｒ_offset，Ｇ_offset，Ｂ_offsetに、補正量調整係数生成部１０５で生成された補正量調整係数Ｒ_ajst，Ｇ_ajst，Ｂ_ajstを乗算して、バックライト１７に起因する表示むらを補正するための補正係数を補正する。
【００９９】
ゲイン補正部１０７Ｒ，１０７Ｇ，２０７Ｂは、それぞれ、映像信号入力端子１０１Ｒ，１０１Ｇ，１０１Ｂに入力された色信号Ｒin，Ｇin，Ｂinに、補正係数生成部１０３で生成されたゲイン補正係数Ｒ_gain，Ｇ_gain，Ｂ_gainfを乗算して補正し、製造上のバラツキ等に起因する表示むらの補正処理を行う。
【０１００】
オフセット補正部１０８Ｒ，１０８Ｇ，１０８Ｂは、それぞれ、ゲイン補正部１０７Ｒ，１０７Ｇ，１０７Ｂで補正された赤、緑、青の色信号に、ゲイン乗算部１０６Ｒ，１０６Ｇ，１０６Ｂで得られる補正係数を加算して補正し、バックライト１７に起因する表示むらの補正処理を行って、出力映像信号としての赤色信号Ｒout、緑色信号Ｇout、青色信号Ｂoutを生成する。
【０１０１】
映像信号出力端子１０９Ｒ，１０９Ｇ，１０９Ｂは、それぞれ、オフセット補正部１０８Ｒ，１０８Ｇ，１０８Ｂで生成された赤色信号Ｒout、緑色信号Ｇout、青色信号Ｂoutを出力する。
【０１０２】
図２に示す輝度・色むら補正回路１００の動作を説明する。映像信号入力端子１０１Ｒ，１０１Ｇ，１０１Ｂに、それぞれ、入力映像信号としての赤色信号Ｒin、緑色信号Ｇin、青色信号Ｂinが入力される。また、位置情報入力端子１０２Ｈ，１０２Ｖに、それぞれ、上述した映像信号入力端子１０１Ｒ，１０１Ｇ，１０１Ｂに各画素の色信号Ｒin，Ｇin，Ｂinが入力されるタイミングで、その画素位置を示す位置情報Ｈ，Ｖが入力される。
【０１０３】
補正係数生成部１０３の補正係数読み出し部１３１Ｒには赤色信号Ｒinが入力されると共に位置情報Ｈ，Ｖが入力され、この補正係数読み出し部１３１Ｒからは、赤色信号Ｒinのレベルおよび位置情報Ｈ，Ｖに基づき、赤色信号Ｒinの信号レベルおよびその画素位置で決まる３次元構造内の注目位置Ｐを囲む８個の格子点ｇ1〜ｇ8（図１１参照）の補正係数が出力される。
【０１０４】
また、補正係数生成部１０３の補正係数読み出し部１３１Ｇには緑色信号Ｇinが入力されると共に位置情報Ｈ，Ｖが入力され、この補正係数読み出し部１３１Ｇからは、緑色信号Ｇinのレベルおよび位置情報Ｈ，Ｖに基づき、緑色信号Ｇinの信号レベルおよびその画素位置で決まる３次元構造内の注目位置Ｐを囲む８個の格子点ｇ1〜ｇ8（図１１参照）の補正係数が出力される。
【０１０５】
さらに、補正係数生成部１０３の補正係数読み出し部１３１Ｂには青色信号Ｂinが入力されると共に位置情報Ｈ，Ｖが入力され、この補正係数読み出し部１３１Ｂからは、青色信号Ｂinのレベルおよび位置情報Ｈ，Ｖに基づき、青色信号Ｂinの信号レベルおよびその画素位置で決まる３次元構造内の注目位置Ｐを囲む８個の格子点ｇ1〜ｇ8（図１１参照）の補正係数が出力される。これら補正係数読み出し部１３１Ｒ，１３１Ｇ，１３１Ｂから出力される補正係数は、それぞれ、補間部１３２Ｒ，１３２Ｇ，１３２Ｂに供給される。
【０１０６】
補間部１３２Ｒ，１３２Ｇ，１３２Ｂでは、それぞれ、補正係数読み出し部１３１Ｒ，１３１Ｇ，１３１Ｂから出力される８個の格子点ｇ1〜ｇ8の補正係数、さらには補正係数読み出し部１３１Ｒ，１３１Ｇ，１３１Ｂから与えられる注目位置Ｐの座標（HDIFF,VDIFF,LDIFF）の情報を用いて、注目位置Ｐの補正係数Ｒ_gain，Ｇ_gain，Ｂ_gainが算出される。これら補正係数Ｒ_gain，Ｇ_gain，Ｂ_gainは、それぞれ、製造上のバラツキ等による表示むらを補正するための補正係数であって、ゲイン補正部１０７Ｒ，１０７Ｇ，１０７Ｂに供給される。
【０１０７】
補正係数生成部１０４の補正係数読み出し部１４１Ｒには位置情報Ｈ，Ｖが入力され、この補正係数読み出し部１４１Ｒからは、位置情報Ｈ，Ｖに基づき、赤色信号Ｒinの画素位置で決まる２次元構造内の注目位置Ｑを囲む４個の格子点ｋ1〜ｋ4(図４参照)の補正係数が出力される。
【０１０８】
また、補正係数生成部１０４の補正係数読み出し部１４１Ｇには位置情報Ｈ，Ｖが入力され、この補正係数読み出し部１４１Ｇからは、位置情報Ｈ，Ｖに基づき、緑色信号Ｇinの画素位置で決まる２次元構造内の注目位置Ｑを囲む４個の格子点ｋ1〜ｋ4(図４参照)の補正係数が出力される。
【０１０９】
さらに、補正係数生成部１０４の補正係数読み出し部１４１Ｂには位置情報Ｈ，Ｖが入力され、この補正係数読み出し部１４１Ｂからは、位置情報Ｈ，Ｖに基づき、青色信号Ｂinの画素位置で決まる２次元構造内の注目位置Ｑを囲む４個の格子点ｋ1〜ｋ4(図４参照)の補正係数が出力される。これら補正係数読み出し部１４１Ｒ，１４１Ｇ，１４１Ｂから出力される補正係数は、それぞれ、補間部１４２Ｒ，１４２Ｇ，１４２Ｂに供給される。
【０１１０】
補間部１４２Ｒ，１４２Ｇ，１４２Ｂでは、それぞれ、補正係数読み出し部１４１Ｒ，１４１Ｇ，１４１Ｂから出力される４個の格子点ｋ1〜ｋ4の補正係数、さらには補正係数読み出し部１４１Ｒ，１４１Ｇ，１４１Ｂから与えられる注目位置Ｑの座標（HDIFF,VDIFF）の情報を用いて、注目位置Ｑの補正係数Ｒ_offset，Ｇ_offset，Ｂ_offsetが算出される。
【０１１１】
補正量調整係数生成部１０５の補正量調整係数読み出し部１５１Ｒには位置情報Ｈ，Ｖが入力され、この補正量調整係数読み出し部１５１Ｒからは、位置情報Ｈ，Ｖに基づき、赤色信号Ｒinの画素位置で決まる２次元構造内の注目位置Ｔを囲む４個の格子点ｕ1〜ｕ4（図７参照）の補正量調整係数が出力される。
【０１１２】
また、補正量調整係数生成部１０５の補正量調整係数読み出し部１５１Ｇには位置情報Ｈ，Ｖが入力され、この補正量調整係数読み出し部１５１Ｇからは、位置情報Ｈ，Ｖに基づき、緑色信号Ｇinの画素位置で決まる２次元構造内の注目位置Ｔを囲む４個の格子点のｕ1〜ｕ4（図７参照）の補正量調整係数が出力される。
【０１１３】
さらに、補正量調整係数生成部１０５の補正量調整係数読み出し部１５１Ｂには位置情報Ｈ，Ｖが入力され、この補正量調整係数読み出し部１５１Ｂからは、位置情報Ｈ，Ｖに基づき、青色信号Ｂinの画素位置で決まる２次元構造内の注目位置Ｔを囲む４個の格子点のｕ1〜ｕ4（図７参照）の補正量調整係数が出力される。これら補正量調整係数読み出し部１５１Ｒ，１５１Ｇ，１５１Ｂから出力される補正量調整係数は、それぞれ、補間部１５２Ｒ，１５２Ｇ，１５２Ｂに供給される。
【０１１４】
補間部１５２Ｒ，１５２Ｇ，１５２Ｂでは、それぞれ、補正量調整係数読み出し部１５１Ｒ，１５１Ｇ，１５１Ｂから出力される４個の格子点ｕ1〜ｕ4の補正係数、さらには補正量調整係数読み出し部１５１Ｒ，１５１Ｇ，１５１Ｂから与えられる注目位置Ｔの座標（HDIFF,VDIFF）の情報を用いて、注目位置Ｔの補正量調整係数Ｒ_ajst，Ｇ_ajst，Ｂ_ajstが算出される。
【０１１５】
補正係数生成部１０４で生成される補正係数Ｒ_offset，Ｇ_offset，Ｂ_offsetは、それぞれ、バックライトに起因するよる表示むらを補正するための補正係数であって、ゲイン乗算部１０６Ｒ，１０６Ｇ，１０６Ｂに供給される。また、このゲイン乗算部１０６Ｒ，１０６Ｇ，１０６Ｂには補正量調整係数生成部１０５で生成された補正量調整係数Ｒ_ajst，Ｇ_ajst，Ｂ_ajstが供給される。このゲイン乗算部１０６Ｒ，１０６Ｇ，１０６Ｂでは、それぞれ、補正係数Ｒ_offset，Ｇ_offset，Ｂ_offsetに、補正量調整係数Ｒ_ajst，Ｇ_ajst，Ｂ_ajstが乗算されて、バックライト１７に起因する表示むらを補正するための補正係数が、バックライト１７の輝度制御に対応して補正される。
【０１１６】
ゲイン補正部１０７Ｒ，１０７Ｇ，１０７Ｂには、それぞれ、映像信号入力端子１０１Ｒ，１０１Ｇ，１０１Ｂに入力された色信号Ｒin，Ｇin，Ｂinが供給される。また、このゲイン補正部１０７Ｒ，１０７Ｇ，１０７Ｂには、それぞれ、補正係数生成部１０３で生成された補正係数Ｒ_gain，Ｇ_gain，Ｂ_gainが供給される。これらゲイン補正部１０７Ｒ，１０７Ｇ，１０７Ｂでは、それぞれ、色信号Ｒin，Ｇin，Ｂinに補正係数Ｒ_gain，Ｇ_gain，Ｂ_gainが乗算され、製造上のバラツキ等に起因する表示むらの補正処理が行われる。
【０１１７】
このようにゲイン補正部１０７Ｒ，１０７Ｇ，１０７Ｂで補正処理が施された赤、緑、青の色信号は、それぞれ、オフセット補正部１０８Ｒ，１０８Ｇ，１０８Ｂに供給される。また、このオフセット補正部１０８Ｒ，１０８Ｇ，１０８Ｂには、ゲイン乗算部１０６Ｒ，１０６Ｇ，１０６Ｂでバックライト１７の輝度制御に対応して補正された赤、緑、青の補正係数が供給される。これらオフセット補正部１０８Ｒ，１０８Ｇ，１０８Ｂでは、それぞれ、ゲイン補正部１０７Ｒ，１０７Ｇ，１０７Ｂで補正された赤、緑、青の色信号に、ゲイン乗算部１０６Ｒ，１０６Ｇ，１０６Ｂで得られる補正係数が加算され、バックライト１７に起因する表示むらの補正処理が行われて、出力映像信号としての赤色信号Ｒout、緑色信号Ｇout、青色信号Ｂoutが生成される。そして、これら色信号Ｒout，Ｇout，Ｂoutは、それぞれ映像信号出力端子１０９Ｒ，１０９Ｇ，１０９Ｂに出力される。
【０１１８】
なお、図２の輝度・色むら補正回路１００の処理は、以下の（１０）式〜（１２）式で表すことができる。
【０１１９】
Rout ＝ Rin ×R_gain ＋ R_ofst ×R_ajst     ・・・（１０）
Gout ＝ Gin ×G_gain ＋ G_ofst ×G_ajst     ・・・（１１）
Bout ＝ Bin ×B_gain ＋ B_ofst ×B_ajst     ・・・（１２）
【０１２０】
図２に示す輝度・色むら補正回路１００によれば、信号レベル別に、所定の画素間隔をもって存在する複数の画素位置における補正係数（製造上のバラツキ等に起因し、大きな範囲で緩やかに変化する表示むらを補正するための補正係数）を記憶する補正係数読み出し部１３１Ｒ，１３１Ｇ，１３１Ｂを備えると共に、所定の画素間隔をもって存在する複数の画素位置における補正係数（バックライト１７に起因し、比較的狭い範囲で周期的に変化する表示むらを補正するための補正係数）を記憶する補正係数読み出し部１４１Ｒ，１４１Ｇ，１４１Ｂを備えるものであり、メモリサイズを大幅に増加することなく、バックライト１７に起因する細かな表示むら良好に補正できる。
【０１２１】
例えば、補正係数読み出し部１３１Ｒ，１３１Ｇ，１３１Ｂのように信号レベル別に、複数の画素位置の補正係数を記憶しているもので、バックライト１７に起因する表示むらをも補正しようとするならば、それぞれの信号レベルにおける補正係数の個数を大幅に増加させる必要があるが、図２に示すような構成の場合には、補正係数読み出し部１４１Ｒ，１４１Ｇ，１４１Ｂのみ補正係数の個数を多くすればよくなる。
【０１２２】
また、図２に示す輝度・色むら補正回路１００によれば、信号レベル別に、所定の画素間隔をもって存在する複数の画素位置における補正係数（製造上のバラツキ等に起因し、大きな範囲で緩やかに変化する表示むらを補正するための補正係数）を記憶する補正係数読み出し部１３１Ｒ，１３１Ｇ，１３１Ｂ、および所定の画素間隔をもって存在する複数の画素位置における補正係数（バックライト１７に起因し、比較的狭い範囲で周期的に変化する表示むらを補正するための補正係数）を記憶する補正係数読み出し部１４１Ｒ，１４１Ｇ，１４１Ｂを備えると共に、バックライト１７の輝度制御に伴って補正係数読み出し部１４１Ｒ，１４１Ｇ，１４１Ｂに記憶されている補正係数を補正するための補正係数（補正量調整係数）を記憶する補正量調整係数読み出し部１５１Ｒ，１５１Ｇ，１５１Ｂを備えるものである。そのため、バックライト１７の輝度制御があっても、補正量調整係数の少ない補正量調整係数読み出し部１５１Ｒ，１５１Ｇ，１５１Ｂをリアルタイムで容易に書き換えることができ、バックライト１７に起因する表示むらを良好に補正できる。
【０１２３】
例えば、補正係数読み出し部１３１Ｒ，１３１Ｇ，１３１Ｂのように信号レベル別に、複数の画素位置の補正係数を記憶しているもので、あるいは補正係数の個数が多くされている補正係数読み出し部１４１Ｒ，１４１Ｇ，１４１Ｂで、バックライト１７の輝度制御に対応してバックライト１７に起因する表示むらを補正するための補正係数を補正しようとするならば、バックライト１７の輝度制御に対応して書き換えるべき補正係数の個数が多くなり、リアルタイムでの補正係数の書き換えが困難となる。
【０１２４】
なお、液晶表示パネルにあっては、表示画面内の部分的な温度変化などによって経時的に画面内の輝度バラツキの分布が変化する表示むらが発生する。例えば、上述した補正量調整係数生成部１０５の部分をこの経時的に変換する表示むらを補正するための補正係数を生成するために使用でき、あるいは独立した補正係数生成部を備えるようにしてもよい。
【０１２５】
その場合、補正量調整係数読み出し部１５１Ｒ，１５１Ｇ，１５１Ｂに記憶される補正係数を所定時間毎に書き換えて更新することが必要となる。この場合にも、書き換える補正係数の個数は少なく、書き換えを容易に行うことができ、上述した経時的に変化する表示むらを良好に補正できる。
【０１２６】
なお、図２に示す輝度・色むら補正回路１００は、バックライト１７に起因する表示ムラの補正にはオフセット補正係数を使い、製造上のバラツキ等に起因する表示むらの補正にはゲイン補正係数を使用しているが、バックライト１７に起因する表示ムラの補正にもゲイン補正係数を使用し、各補正係数を所定の割合で混合して最終的な補正係数とする構成とすることもできる。
【０１２７】
図８は、製造上のバラツキ等に起因する表示むらの補正およびバックライト１７に起因する表示ムラの補正の双方にゲイン補正係数を用いるようにした、輝度・色むら補正回路１００Ａの構成を示している。この図８において、図２と対応する部分には同一符号を付し、その詳細説明は省略する。
【０１２８】
補正係数生成部１０３の補間部１３２Ｒ，１３２Ｇ，１３２Ｂのそれぞれから製造上のバラツキ等に起因する表示むらを補正するためのゲイン補正係数Ｒ_corr2，Ｇ_corr2，Ｂ_corr2が得られる。また、この輝度・色むら補正回路１００Ａでは、補正係数生成部１０４の補間部１４２Ｒ，１４２Ｇ，１４２Ｂのそれぞれからバックライト１７に起因する表示むらを補正するためのゲイン補正係数Ｒ_corr1，Ｇ_corr1，Ｂ_corr1が得られる。さらに、補正量調整係数生成部１０５の補間部１５２Ｒ，１５２Ｇ，１５２Ｂのそれぞれから、バックライト１７の輝度制御に対応して、ゲイン補正係数Ｒ_corr1，Ｇ_corr1，Ｂ_corr1を補正するための補正係数（補正量調整係数）Ｒ_blend，Ｇ_blend，Ｂ_blendが得られる。
【０１２９】
補正係数生成部１０３で生成されるゲイン補正係数Ｒ_corr2，Ｇ_corr2，Ｂ_corr2は、それぞれ、混合回路１１０Ｒ，１１０Ｇ，１１０Ｂに供給される。また、この混合回路１１０Ｒ，１１０Ｇ，１１０Ｂには、それぞれ、補正係数生成部１０４で生成されるゲイン補正係数Ｒ_corr1，Ｇ_corr1，Ｂ_corr1が供給される。そして、これら混合回路１１０Ｒ，１１０Ｇ，１１０Ｂでは、それぞれ、ゲイン補正係数Ｒ_corr2，Ｇ_corr2，Ｂ_corr2にゲイン補正係数Ｒ_corr1，Ｇ_corr1，Ｂ_corr1が混合されるが、その混合割合が補正量調整係数生成部１０５で生成される補正量調整係数Ｒ_blend，Ｇ_blend，Ｂ_blendで調整される。
【０１３０】
混合回路１１０Ｒ，１１０Ｇ，１１０Ｂでそれぞれ得られるゲイン補正係数Ｒ_coef，Ｇ_coef，Ｂ_coefは、以下の、（１３）式〜（１５）式で表すことができる。
【０１３１】
R_coef ＝ R_corr1 ×R_blend ＋R_corr2×(1-R_blend)    ・・・（１３）
G_coef ＝ G_corr1 ×G_blend ＋G_corr2×(1-G_blend)    ・・・（１４）
B_coef ＝ B_corr1 ×B_blend ＋B_corr2×(1-B_blend)    ・・・（１５）
【０１３２】
このように混合回路１１０Ｒ，１１０Ｇ，１１０Ｂで得られたゲイン補正係数Ｒ_coef，Ｇ_coef，Ｂ_coefは、それぞれ、色信号Ｒin，Ｇin，Ｂinが供給される補正部１１１Ｒ，１１１Ｇ，１１１Ｂに供給される。これら補正部１１１Ｒ，１１１Ｇ，１１１Ｂでは、それぞれ、色信号Ｒin，Ｇin，Ｂinにゲイン補正係数Ｒ_coef，Ｇ_coef，Ｂ_coefが乗算され、製造上のバラツキ等に起因する表示むらおよびバックライト１７に起因する表示むらの補正処理が行われて、出力映像信号としての赤色信号Ｒout、緑色信号Ｇout、青色信号Ｂoutが生成される。そして、これら色信号Ｒout，Ｇout，Ｂoutは、それぞれ映像信号出力端子１０９Ｒ，１０９Ｇ，１０９Ｂに出力される。
【０１３３】
補正部１１１Ｒ，１１１Ｇ，１１１Ｂで得られる色信号Ｒout，Ｇout，Ｂoutは、それぞれ、以下の、（１６）式〜（１８）式で表すことができる。
【０１３４】
Rout ＝ Rin ×R_coef     ・・・（１６）
Gout ＝ Gin ×G_coef     ・・・（１７）
Bout ＝ Bin ×B_coef     ・・・（１８）
【０１３５】
図８に示す輝度・色むら補正回路１００Ａによれば、図２に示す輝度・色むら補正回路１００と同様の効果を得ることができる。また、図２に示す輝度・色むら補正回路１００ではゲイン補正回路１０７Ｒ，１０７Ｇ，１０７Ｂおよびオフセット補正回路１０８Ｒ，１０８Ｇ，１０８Ｂの二箇所で赤、緑、青の色信号の補正処理を行っているが、図８に示す輝度・色むら補正回路１００Ａによれば、補正部１１１Ｒ，１１１Ｇ，１１１Ｂの一箇所で、緑、青の色信号の補正処理を行うことができ、回路構成が簡単となる利益がある。
【０１３６】
なお、図８に示す輝度・色むら補正回路１００Ａでは、製造上のバラツキ等に起因する表示むらの補正およびバックライト１７に起因する表示ムラの補正の双方にゲイン補正係数を用いるようにしたものであるが、これら双方にオフセット補正係数を用いることもできる。その場合には、混合回路１１０Ｒ，１１０Ｇ，１１０Ｂでは、それぞれ、オフセット補正係数Ｒ_coef，Ｇ_coef，Ｂ_coefが得られ、補正部１１１Ｒ，１１１Ｇ，１１１Ｂでは、それぞれ、色信号Ｒin，Ｇin，Ｂinにオフセット補正係数Ｒ_coef，Ｇ_coef，Ｂ_coefが加算され、製造上のバラツキ等に起因する表示むらおよびバックライト１７に起因する表示むらの補正処理が行われて、出力映像信号としての赤色信号Ｒout、緑色信号Ｇout、青色信号Ｂoutが生成される。
【０１３７】
この場合、補正部１１１Ｒ，１１１Ｇ，１１１Ｂで得られる色信号Ｒout，Ｇout，Ｂoutは、それぞれ、以下の、（１９）式〜（２１）式で表すことができる。
【０１３８】
Rout ＝ Rin ＋ R_coef     ・・・（１９）
Gout ＝ Gin ＋ G_coef     ・・・（２０）
Bout ＝ Bin ＋ B_coef     ・・・（２１）
【０１３９】
また、上述実施の形態においては、カラー液晶表示パネル１６の製造上のバラツキ等に起因する表示むらおよびバックライト１７に起因する表示むらを補正するものを示したが、その他の表示むらを補正するための補正係数を記憶する補正係数読み出し部を用意することで、当該その他の表示むらも同様にして補正することができる。その他の表示むらとしては、例えばプロジェクタで使用される投影レンズに起因する表示むら等が考えられる。
【産業上の利用可能性】
【０１４０】
この発明は、メモリサイズを大幅に増加することなく細かな表示むらの補正を可能とし、また映像信号の内容変化あるいは経時変化に伴う表示むらの補正を容易とするものであり、例えばカラー液晶表示パネルを使用した画像表示装置等に適用できる。
【図面の簡単な説明】
【０１４１】
【図１】実施の形態としての画像表示装置の構成を示すブロック図である。
【図２】輝度・色むら補正回路の構成を示すブロック図である。
【図３】製造上のバラツキ等に起因する表示むらを補正するための補正係数を記憶する補正係数テーブルを説明するための図である。
【図４】バックライトに起因する表示むらを補正するための補正係数を記憶する補正係数テーブルを説明するための図である。
【図５】信号レベルと画面内の輝度バラツキの関係を示す図である。
【図６】輝度バラツキの分離を説明するための図である。
【図７】バックライト輝度制御に係る補正量調整係数を記憶する補正係数テーブルを説明するための図である。
【図８】輝度・色むら補正回路の他の構成を示すブロック図である。
【図９】従来の輝度・色むら補正回路の構成を示すブロック図である。
【図１０】従来の輝度・色むら補正回路の構成を示すブロック図である。
【図１１】補正係数の読み出しを説明するための図である。
【図１２】補間演算を説明するための図である。
【符号の説明】
【０１４２】
１０・・・画像表示装置、１１Ｒ，１１Ｇ，１１Ｂ・・・入力端子、１２Ｒ，１２Ｇ，１２Ｂ・・・Ａ／Ｄ変換器、１３・・・デジタル信号処理部、１４Ｒ，１４Ｇ，１４Ｂ・・・Ｄ／Ａ変換器、１５Ｒ，１５Ｇ，１５Ｂ・・・駆動部、１６・・・カラー液晶表示パネル、１６Ｒ，１６Ｇ，１６Ｂ・・・パネル部、１７・・・バックライト、１８・・・コントローラ、１００，１００Ａ・・・輝度・色むら補正回路、１０１Ｒ，１０１Ｇ，１０１Ｂ・・・映像信号入力端子、１０２Ｈ，１０２Ｖ・・・位置情報入力端子、１０３，１０４・・・補正係数生成部、１０５・・・補正量調整係数生成部、１０６Ｒ，１０６Ｇ，１０６Ｂ・・・ゲイン乗算部，１０７Ｒ，１０７Ｇ，１０７Ｂ・・・ゲイン補正部、１０８Ｒ，１０８Ｇ，１０８Ｂ・・・オフセット補正部、１０９Ｒ，１０９Ｇ，１０９Ｂ・・・映像信号出力端子、１１０Ｒ，１１０Ｇ，１１０Ｂ・・・混合部、１１１Ｒ，１１１Ｇ，１１１Ｂ・・・補正部、１３１Ｒ，１３１Ｇ，１３１Ｂ，１４１Ｒ，１４１Ｇ，１４１Ｂ・・・補正係数読み出し部、１５１Ｒ，１５１Ｇ，１５１Ｂ・・・補正量調整係数読み出し部、１３２Ｒ，１３２Ｇ，１３２Ｂ，１４２Ｒ，１４２Ｇ，１４２Ｂ，１５２Ｒ，１５２Ｇ，１５２Ｂ・・・補間部
【図１】
2007281612.tif 000006
【図２】
2007281612.tif 000007
【図３】
2007281612.tif 000008
【図４】
2007281612.tif 000009
【図５】
2007281612.tif 000010
【図６】
2007281612.tif 000011
【図７】
2007281612.tif 000012
【図８】
2007281612.tif 000013
【図９】
2007281612.tif 000014
【図１０】
2007281612.tif 000015
【図１１】
2007281612.tif 000016
【図１２】
2007281612.tif 000017